(57)【特許請求の範囲】
【請求項１】
出入り口部に回転自在に軸承されるセンターコアの外周に複数枚のパネルを取付け、これらパネルが出入り口部を回転することにより、出入り口部の通風を遮断しながらの開閉を行う回転ドア装置において、前記センターコアの下端部に突設する回転支軸を、床部側に配設される軸受ケーシングに軸受を介して軸承すると共に、前記軸受ケーシングを、少なくとも二つに分割可能に構成され、回転支軸の径方向に取外せるように構成するにあたり、軸受ケーシングは軸受が内装される凹部が形成されたものとし、凹部を構成する溝底部の軸方向厚さは、回転支軸から軸受を抜き取るためのストロークよりも大きく設定されている回転ドア装置におけるセンターコア軸承構造。
【請求項２】
請求項１において、軸受ケーシングは、床部とのあいだに高さ調整自在なベースユニットが設けられている回転ドア装置におけるセンターコア軸承構造。
【発明の詳細な説明】
【０００１】
【発明の属する技術分野】
本発明は、建築物の出入り口部等に建付けられる回転ドア装置におけるセンターコア軸承構造の技術分野に属するものである。
【０００２】
【従来の技術】
一般に、出入り口部に回転自在に設けられるセンターコアに複数枚のパネルを取付け、前記センターコアがパネルとともに回転作動をすることにより、出入り口部の通風を遮断して、屋内側温度を恒常的に維持しながらの開閉を行うように構成した回転ドア装置が知られている。
このような回転ドア装置において、センターコアは、該センターコアの軸芯を上下方向に貫通する回転支軸の上下突出部を、躯体側である天井部側と床部側とにそれぞれ設けた軸受ケーシングに、軸受を介して軸承させることによってスムースな回転が保証されている。ところで、軸受や軸受ケーシング等の軸受部位は金属材で形成されており、長期にわたって使用された場合に錆やゴミ等による作動不良が生じることがあり、特に床部側の軸受部位には埃やゴミが溜りやすいこともあって、床部側の軸受部位のメンテナンスが頻繁に必要になることがある。また、回転ドア装置を塩害地域に建付けたような場合では、早期のうちに軸受部位に錆が生じてしまうことがあり、この場合でも軸受部位のメンテナンスが必要となる。
【０００３】
【発明が解決しようとする課題】
そしてこのような回転ドア装置は、回転支軸にセンターコアとパネルとの略全荷重が作用する構成となっているうえ、前述したように、回転支軸はセンターコアの軸芯部分に貫通状に設けられたものが天井部と床部とのあいだに抜止め状に軸承され、しかも、回転支軸を軸承する軸受は、床部側および天井部側に設けられた軸受ケーシングに無理嵌め状に嵌着された状態で支持されている。このため、回転支軸から軸受を取外そう（抜き取ろう）とした場合、センターコアとパネルとの略全荷重が掛っている回転支軸を天井部側から上方に引き抜くような状態で持ち上げ、そうして、回転支軸下端部から軸受ケーシングを取外し、しかる後に軸受を取外すようにしており、メンテナンス作業が困難であるうえ、大がかりな操作を強いられるという問題があり、ここに本発明が解決しようとする課題があった。
【０００４】
【課題を解決するための手段】
本発明は、上記の如き実情に鑑み、これらの課題を解決することを目的として創作されたものであって、請求項１の発明は、出入り口部に回転自在に軸承されるセンターコアの外周に複数枚のパネルを取付け、これらパネルが出入り口部を回転することにより、出入り口部の通風を遮断しながらの開閉を行う回転ドア装置において、前記センターコアの下端部に突設する回転支軸を、床部側に配設される軸受ケーシングに軸受を介して軸承すると共に、前記軸受ケーシングを、少なくとも二つに分割可能に構成され、回転支軸の径方向に取外せるように構成するにあたり、軸受ケーシングは軸受が内装される凹部が形成されたものとし、凹部を構成する溝底部の軸方向厚さは、回転支軸から軸受を抜き取るためのストロークよりも大きく設定されている回転ドア装置におけるセンターコア軸承構造である。
そして、このようにすることによって、センターコアの回転支軸の取付け姿勢を変えることなく軸受けケーシングを取外して、軸受のメンテナンスができる。
請求項２の発明は、請求項１において、軸受ケーシングは、床部とのあいだに高さ調整自在なベースユニットが設けられている回転ドア装置におけるセンターコア軸承構造である。
【０００５】
【発明の実施の形態】
次に、本発明の実施の形態を図１〜図７の図面に基づいて説明する。
図面において、１は躯体に設けられる回転ドア装置であって、該回転ドア装置１を構成するべく躯体に建付けられる円筒状の筒壁体２には、直径方向に対向し、屋内外二箇所に位置する状態で開口部がそれぞれ開設されており、これら開口部が躯体内外の出入り口部となっている。３は筒壁体２と同芯状に配されるセンターコアであって、該センターコア３は平面視略四角形状に形成されており、軸芯部位に回転支軸４が上下方向に貫通する状態で一体配設されている。前記センターコア３は、下端縁部が床部Ｆとのあいだに所定間隙を存する長さに設定されており、該下端縁部から、回転支軸４の下側軸端部４ａが床部Ｆ側に向けて突出配設されている。一方、センターコア３の上端縁部と天井部Ｕとのあいだにも所定間隙が形成されており、該上端縁部から回転支軸４の上側軸端部４ｂが天井部側に向けて突出配設されている。
【０００６】
そして、回転支軸４の下側軸端部４ａは、床部Ｆ側に固定される下側軸受ケーシング５に内装される軸受６に回動自在に軸承される一方、回転支軸４の上側軸端部４ｂは、天井部Ｕ側に一体的に配された上側の軸受ケーシング７に軸受７ａを介して回動自在に軸承されている。そして、上側軸受ケーシング７から上方に突出する上側軸端部４ｂの突出端部に、天井部Ｕ側に配され、図示しない駆動装置により回転駆動する駆動回転体４ｃが一体的に連動連結されている。
さらに、前記センターコア３の各コーナー部には、外径側に伸長する四枚のパネル８の内径側端縁部がそれぞれ取付けられているが、各パネル８は、上側のパネル保持装置８ａおよび下側の支持装置８ｂを介してそれぞれ水平方向に揺動自在な状態で支持されている。そして、前記駆動装置が駆動することに伴い、回転支軸４は、駆動回転体４ｃとともに平面視で反時計回り方向に回転し、これによって、四枚のパネル８が回転体３とともに一体回転して、開口部を自動的に開閉する構成となっている。
【０００７】
前記床部Ｆには下側軸受ケーシング５を固定するためのベースユニットＢが配されているが、該ベースユニットＢは、床部Ｆ側のベースプレート９と、該ベースプレート８の上部に高さ調整自在に積層配設された調整プレート１０とで構成されている。前記ベースプレート９には、軸芯部に位置して小径に形成された位置合せ用孔９ａと、その外径部に周回り方向四箇所に位置して形成された固定用貫通孔９ｂと、さらにその外径側で、かつ隣接する固定用貫通孔９ｂの中間部に位置して周回り方向四箇所に形成された連結用螺子孔９ｃとがそれぞれ穿設されている。一方、調整プレート１０には、軸芯部に位置しベースプレート位置合せ用孔９ａよりは大径に形成された位置合せ用孔１０ａと、ベースプレート固定用貫通孔９ｂと連通するよう周回り方向四箇所に位置し、かつ固定用貫通孔９ｂよりは大径に形成された固定用貫通孔１０ｂ（後述するようにボルト１３全体を挿通するための貫通孔）と、ベースプレート連結用螺子孔９ｃと連通するよう周回り方向四箇所に位置して形成された連結用貫通孔１０ｃと、これら貫通孔１０ｃの周回り方向中間部に位置するよう四箇所に形成された調整用螺子孔１０ｄと、前記下側軸受ケーシング５を螺合するべく四箇所に位置して形成されたケーシング用螺子孔１０ｅとがそれぞれ穿設されている。
【０００８】
そして、ベースユニットＢは、ベースプレート９と調整プレート１０とを、調整プレート連結用貫通孔１０ｃを挿通させた連結ボルト１１を、ベースプレート螺子孔９ｃに螺合することで積層状に連結されており、さらに、調整プレート螺子孔１０ｄに調整ボルト１２を螺合して、該調整ボルト１２の軸部１２ａ先端をベースプレート９のプレート面に突当て、この状態でさらに調整ボルト１２の螺合を続けることで、ベースプレート９と調整プレート１０とのあいだに空隙部が形成されるように設定され、該調整ボルト１２の螺合量に基づいて空隙部の寸法調整、つまり、ベースプレート９に対する調整プレート１０の高さを調整できるように設定されている。そして、予め調整プレート１０が適当な高さになるよう調整されたベースユニットＢは、調整プレート固定用貫通孔１０ｂを介してベースプレート固定用貫通孔９ｂに挿通された固定ボルト１３を床部Ｆに螺合するこで固定されるように設定されている。
【０００９】
さて、本発明が実施された下側軸受ケーシング５は、中央部に軸受６を内装するための円形状の凹部５ａが形成され、ベースユニットＢに取付けるための取付け片５ｂが左右端部から突出形成されたものになっているが、このものが、凹部５ａの軸芯位置において左右に分割されて、左側半部Ｌと右側半部Ｒとに構成されている。そして、右側半部Ｒには、凹部５ａの下部に位置して左右方向を向く前後一対の貫通孔５ｃが穿設されている一方、左側半部Ｌには、これら左右側半部Ｌ、Ｒを突当てた状態で前記各貫通孔５ｃに連通する状態の螺子孔５ｄが前後に形成されており、これら右側半部貫通孔５ｃから挿通された一対の連結螺子１４を各螺子孔５ｄに螺合することで、これら左右側半部Ｌ、Ｒが一体化され、下側軸受ケーシング５を構成するように設定されている。そして、このように一体化された下側軸受ケーシング５は、取付け片５ｂに形成された貫通孔５ｅを介して、前記ベースユニットＢの調整プレート１０に形成されたケーシング用螺子孔１０ｅに螺合される固定用螺子１５によりベースユニットＢに固定され、この状態で凹部５ａに、回転支軸４の下側軸端部４ａを軸承する軸受６が嵌着されている。
尚、下側軸受ケーシング凹部５ａを構成する溝底部側には段差部５ｆが形成されており、前記軸受６は段差部５ｆに係合する状態で嵌着されている。さらに、前記凹部５ａの溝底部の軸方向長さ（厚さ）Ｓは、回転支軸下側軸端部４ａから軸受６を取外すときに必要なストロークを確保できる長さに寸法設定されており、後述するように、軸受ケーシング５を取外したとき、下側軸端部４ａの下方に軸受６抜取り用のスペースが形成されるようになっている。
【００１０】
そして、回転支軸下側軸端部４ａを軸承する軸受６を取外す場合では、センターコア３の下端部と床部Ｆとのあいだに楔１６を差し込んで、センターコア３およびパネル８の荷重を回転支軸４ではなく、楔１６によって受けられるような状態とする。そして、下側軸受ケーシング５をベースユニットＢに固定するための固定用螺子１５を抜き取り、続いて、下側軸受ケーシング５の左右側半部Ｌ、Ｒを一体化するための連結螺子１４を抜き取り、そして、左側半部Ｌを左側へ、右側半部Ｒを右側に、つまり回転支軸４の径方向にスライドさせることで、軸受６から下側軸受ケーシング５を取外せるように設定されている。このように下側軸受ケーシング５を取外したとき、回転支軸下側軸端部４ａの下端面はベースユニットＢ上面とのあいだに前述した抜き取り用のスペースを有する垂下状態となっており、この状態となると、前記スペースを利用して軸受６を回転支軸下側軸端部４ａから下方へスライドさせて抜き取ることができるようになっている。
このとき、下側軸受ケーシング５を取外すことにより形成される抜き取り用のスペースは、前述したように、下側軸受ケーシング５の溝底部の上下長Ｓさに基づいて設定されるものであり、その長さは、下側軸端部４ａから軸受６を取外すために必要なストロークを確保できるものに相当している。このため、このものでは、下側軸受ケーシング５を取外すことにより形成された抜き取りスペースをそのまま利用して軸受６を抜き取れるようになっている。
これに対し、溝底部の軸方向長さが短く（薄く）、軸受６の抜取りスペースが充分確保できない場合では、下側軸受ケーシング５を取外しただけでは軸受６を抜き取れないが、このような場合では、ベースユニットＢの調整ボルト１２を調整して調整プレート１０をベースプレート９側に近接させるように移動することによって、軸受６の下方へのスライドスペースを確保できるように設定されている。
【００１１】
叙述の如く構成された本発明の実施の形態において、図示しない駆動装置の回転駆動に伴い、センターコア３が回転してパネル６による開口部の開閉がなされるが、このものにおいて、センターコア３の回転支軸４を軸承する軸受６にゴミや埃が溜る等して軸受６の交換が必要となった場合に、回転支軸下側軸端部４ａの軸受６を内装する下側軸受ケーシング５は、左右側半部Ｌ、Ｒを連結螺子１４を用いて一体化することで構成されている。このため、前述したように、センターコア３と床部Ｆとのあいだに楔１６を差し込み、回転ドア装置１側の荷重を楔１６側にシフトした状態で、下側軸受ケーシング５の固定螺子１５、連結螺子１４を取外して左右側半部Ｌ、Ｒを分割してこれらを回転支軸４の径方向である左右方向に引き抜くようにすることで、回転支軸４の姿勢を変えることなく回転支軸４および軸受６から下側軸受ケーシング５を取外すことができ、この状態で、露出する軸受６を下側の抜き取り用スペース側にスライドすれば軸受６が抜き取られ、そして新しい軸受６を取付けることができる。このように、本発明が実施されたものにおいて、下側軸受ケーシング５は分割自在で左右方向への移動で取外すことができるので、回転支軸４を取付け状態のまま姿勢を変えることなく軸受６を取外すことができ、従来のように回転支軸を上方に持ち上げ、センターコアから回転支軸を抜き取るような大がかりな作業が不要となって、メンテナンス作業を容易にできる。
【００１２】
しかもこのものにおいては、下側軸受ケーシング５と床部Ｆとのあいだに、高さ調整自在なベースユニットＢが設けられていて、下側軸受ケーシング５を取外しても軸受６を取外すスペースが確保できないようなとき、ベースユニットＢの調整プレート１０をベースプレート９側に近接させることで前記スペースを大きくすることができ、このようにすることによって、軸受６の取外し、取付け等のメンテナンス作業が容易にできる。
【００１３】
尚、本発明は前記実施の形態に限定されないことは勿論であって、軸受ケーシングは回転支軸の径方向へのスライド移動により取外せる構成であればよく、三分割、四分割にされたもの等であってもよい。
【図面の簡単な説明】
【図１】回転ドア装置の正面図である。
【図２】下側軸受ケーシングの床部取付け状態を示す平面図である。
【図３】図２の一部を切欠いたＸ−Ｘ断面図である。
【図４】下側軸受ケーシングの取付け状態を説明する分解斜視図である。
【図５】図５（Ａ）、（Ｂ）はそれぞれ下側軸受ケーシングの平面図、正面断面図である。
【図６】図６（Ａ）、（Ｂ）はそれぞれベースユニットの調整プレートの平面図、ベースプレートの平面図である。
【図７】下側軸受ケーシングを取外すべく楔を差し込んだ状態を示す要部の一部断面正面図である。
【符号の説明】
１    回転ドア装置
２    筒壁体
３    センターコア
４    回転支軸
４ａ    下側軸端部
５    下側軸受ケーシング
５ａ    凹部
６    軸受
８    パネル
９    ベースプレート
１０    調整プレート
１１    連結ボルト
１２    調整ボルト
１３    固定ボルト
１４    連結螺子
１５    固定螺子
Ｂ    ベースユニット
Ｒ    右側半部
【図１】
0003718798.tif 000002
【図２】
0003718798.tif 000003
【図３】
0003718798.tif 000004
【図４】
0003718798.tif 000005
【図５】
0003718798.tif 000006
【図６】
0003718798.tif 000007
【図７】
0003718798.tif 000008